(57)【要約】【課題】印刷機の見当装置において、構造の簡素化及び低コスト化を可能とする。【解決手段】ウェブＷにおける表側及び裏側に対向して第１、第２ブランケット胴２３，２４が配設されると共に、この第１、第２ブランケット胴２３，２４にそれぞれ対接して第１、第２版胴２１，２２が配設され、各ブランケット胴２３，２４及び各版胴２１，２２が一つの駆動モータ２５により連動して駆動回転可能に構成し、第１版胴２１（版胴本体６６）における天地見当量を調整可能な天地見当量調整手段として駆動モータ２５を適用する一方、第１版胴２１における天地見当量を調整したときに第２版胴２２（版胴本体９１）における天地見当量を補正する天地見当量補正手段としての駆動モータ１０６を設ける。【選択図】      図１
2010167617.tif 000002
【特許請求の範囲】
【請求項１】
印刷シートにおける表側及び裏側に対向して第１、第２ブランケット胴が配設されると共に、該第１、第２ブランケット胴にそれぞれ対接して第１、第２版胴が配設され、前記各ブランケット胴及び前記各版胴が一つの駆動モータにより連動して駆動回転可能な印刷機において、
前記第１版胴における天地見当量を調整可能な天地見当量調整手段として前記駆動モータを適用する一方、前記第１版胴における天地見当量を調整したときに前記第２版胴における天地見当量を補正する天地見当量補正手段を設ける、
ことを特徴とする印刷機の見当装置。
【請求項２】
前記各ブランケット胴の回転軸に互いに噛み合う第１、第２ヘリカルギアが固結され、
前記天地見当量補正手段は、駆動モータと、前記第２ヘリカルギアを前記第２ブランケット胴の回転軸方向に移動自在に支持するギア支持手段と、前記駆動モータにより前記第２ヘリカルギアを軸方向に移動可能なギア移動手段とを有する、
ことを特徴とする請求項１に記載の印刷機の見当装置。
【請求項３】
前記各版胴を左右のフレームに対して回転自在で且つ回転軸方向に移動自在に支持する版胴支持部と、該版胴支持部を介して前記版胴を回転軸方向に移動して左右見当量を調整する左右見当量調整手段を設ける、
ことを特徴とする請求項１または２に記載の印刷機の見当装置。
【請求項４】
前記各版胴は、回転軸方向の一方側に設けられる第１分割版胴と、回転軸方向の他方側に設けられて前記第１分割版胴と相対回転可能な第２分割版胴とを有し、
前記天地見当量調整手段としての前記駆動モータにより前記第１版胴における前記第１分割版胴の天地見当量を調整可能とし、前記天地見当量補正手段により前記第２版胴における前記第１分割版胴の天地見当量を補正可能とする、
ことを特徴とする請求項１に記載の印刷機の見当装置。
【請求項５】
版胴回転軸が左右のフレームに対して回転自在で且つ回転軸方向に移動自在に支持され、前記版胴回転軸に前記第１分割版胴が軸方向に相対移動可能で且つ周方向に相対回転可能に連結されると共に、前記第２分割版胴が軸方向に一体移動可能で且つ周方向に一体回転可能に連結され、
前記左右のフレームのうちの一方のフレームに、前記第１分割版胴を軸方向に移動して左右見当量を調整する第１左右見当量調整手段と、前記版胴回転軸を介して前記第２分割版胴を軸方向に移動して左右見当量を調整する第２左右見当量調整手段が設けられ、
前記左右のフレームのうちの他方のフレームに、前記第１分割版胴を周方向に回転して天地見当量を調整する第１天地見当量調整手段としての前記駆動モータと、前記第２分割版胴を周方向に回転して天地見当量を調整する第２天地見当量調整手段が設けられる、
ことを特徴とする請求項４に記載の印刷機の見当装置。
【請求項６】
前記第１分割版胴における各軸部が左右のフレームに対して回転自在で且つ回転軸方向に移動自在に支持され、前記第１分割版胴に前記第２分割版胴が軸方向に相対移動可能で且つ周方向に相対回転可能に連結され、
前記左右のフレームのうちの一方のフレームに、前記第１分割版胴を回転軸方向に移動して左右見当量を調整する第１左右見当量調整手段が設けられ、
前記左右のフレームのうちの他方のフレームに、前記第２分割版胴を回転軸方向に移動して左右見当量を調整する第２左右見当量調整手段と、前記第１分割版胴を周方向に回転して天地見当量を調整する第１天地見当量調整手段としての前記駆動モータと、前記第２分割版胴を周方向に回転して天地見当量を調整する第２天地見当量調整手段が設けられる、
ことを特徴とする請求項４に記載の印刷機の見当装置。
【請求項７】
前記他方のフレームに、前記第１版胴における前記第１分割版胴の天地見当量を調整したときに前記第２版胴における前記第１分割版胴の天地見当量を補正する前記天地見当量補正手段が設けられる、
ことを特徴とする請求項５または６に記載の印刷機の見当装置。
【発明の詳細な説明】
【技術分野】
【０００１】
本発明は、印刷シートにおける表裏の位置関係、多色刷りによる各色の位置関係がずれないように、各刷版の位置を調整する印刷機の見当装置に関するものである。
【背景技術】
【０００２】
印刷機にて、単色印刷における表面と裏面との位置精度、多色印刷における各色の重ね合わせにおける位置精度、用紙を折るときの折位置精度、印刷絵柄に合わせて打ち抜くときの位置精度などを調整するために、見当装置が設けられている。この見当装置は、版胴における周方向の位相を調整する天地見当と、版胴における軸方向の位置を調整する左右見当がある。
【０００３】
また、印刷機にて、版胴を軸方向に２分割し、それぞれの分割版胴を独立して見当調整可能とするものが、例えば、下記特許文献１、２に記載されている。この特許文献１に記載された分割版胴の見当調整構造では、駆動側版胴と操作側版胴をそれぞれ軸方向に移動させて軸方向の見当調整を行うそれぞれの軸方向調整手段と、駆動側版胴と操作側版胴をそれぞれ円周方向に回転させて円周方向の見当調整を行うそれぞれの円周方向調整手段とを備えている。
【０００４】
また、特許文献２に記載された分割版胴を個別に駆動する多色刷平版印刷機では、印刷部が、軸方向に２分割され各分割部が個別に軸方向に移動可能に、かつ円周方向に回転可能にした分割版胴と、分割版胴の各分割部に対応した同期制御可能な電動駆動手段と、それぞれ対応する分割部と電動駆動手段との間に設けられた伝動手段とを有している。
【０００５】
更に、特許文献３に記載された印刷機の駆動位相調整装置では、版胴ごとに駆動モータを設け、入力された調整量の絶対値と印刷シリンダ間位相補正量を加減して駆動モータのカットオフ修正すべきウェブに関係するモータの位相を修正する量を演算し、カットオフ調整している。
【先行技術文献】
【特許文献】
【０００６】
【特許文献１】特許第３９４７５１７号公報
【特許文献２】特開２００２−２１０９１５号公報
【特許文献３】特開２０００−２５５０３９号公報
【発明の概要】
【発明が解決しようとする課題】
【０００７】
上述した特許文献１の印刷機の見当装置では、版胴やブランケット胴を駆動回転する駆動装置（モータ）とは別に、２つの軸方向調整手段と２つの円周方向調整手段が必要となり、装置が大型化、複雑化すると共に、コスト増を招いてしまう。また、上述した特許文献２の印刷機の見当装置では、分割版胴を駆動回転する電動駆動手段により円周方向の検討調整をしており、モータの増加を抑制することができる。しかし、この場合、印刷機における各版胴がモータにより独立して駆動回転する構造となっており、印刷機自体の構造が大型化、複雑化すると共に、コスト増を招いてしまう。
【０００８】
本発明は上述した課題を解決するものであり、構造の簡素化及び低コスト化を可能とする印刷機の見当装置を提供することを目的とする。
【課題を解決するための手段】
【０００９】
上記の目的を達成するための本発明の印刷機の見当装置は、印刷シートにおける表側及び裏側に対向して第１、第２ブランケット胴が配設されると共に、該第１、第２ブランケット胴にそれぞれ対接して第１、第２版胴が配設され、前記各ブランケット胴及び前記各版胴が一つの駆動モータにより連動して駆動回転可能な印刷機において、前記第１版胴における天地見当量を調整可能な天地見当量調整手段として前記駆動モータを適用する一方、前記第１版胴における天地見当量を調整したときに前記第２版胴における天地見当量を補正する天地見当量補正手段を設ける、ことを特徴とするものである。
【００１０】
本発明の印刷機の見当装置では、前記各ブランケット胴の回転軸に互いに噛み合う第１、第２ヘリカルギアが固結され、前記天地見当量補正手段は、駆動モータと、前記第２ヘリカルギアを前記第２ブランケット胴の回転軸方向に移動自在に支持するギア支持手段と、前記駆動モータにより前記第２ヘリカルギアを軸方向に移動可能なギア移動手段とを有する、ことを特徴としている。
【００１１】
本発明の印刷機の見当装置では、前記各版胴を左右のフレームに対して回転自在で且つ回転軸方向に移動自在に支持する版胴支持部と、該版胴支持部を介して前記版胴を回転軸方向に移動して左右見当量を調整する左右見当量調整手段を設ける、ことを特徴としている。
【００１２】
本発明の印刷機の見当装置では、前記各版胴は、回転軸方向の一方側に設けられる第１分割版胴と、回転軸方向の他方側に設けられて前記第１分割版胴と相対回転可能な第２分割版胴とを有し、前記天地見当量調整手段としての前記駆動モータにより前記第１版胴における前記第１分割版胴の天地見当量を調整可能とし、前記天地見当量補正手段により前記第２版胴における前記第１分割版胴の天地見当量を補正可能とする、ことを特徴としている。
【００１３】
本発明の印刷機の見当装置では、版胴回転軸が左右のフレームに対して回転自在で且つ回転軸方向に移動自在に支持され、前記版胴回転軸に前記第１分割版胴が軸方向に相対移動可能で且つ周方向に相対回転可能に連結されると共に、前記第２分割版胴が軸方向に一体移動可能で且つ周方向に一体回転可能に連結され、前記左右のフレームのうちの一方のフレームに、前記第１分割版胴を軸方向に移動して左右見当量を調整する第１左右見当量調整手段と、前記版胴回転軸を介して前記第２分割版胴を軸方向に移動して左右見当量を調整する第２左右見当量調整手段が設けられ、前記左右のフレームのうちの他方のフレームに、前記第１分割版胴を周方向に回転して天地見当量を調整する第１天地見当量調整手段としての前記駆動モータと、前記第２分割版胴を周方向に回転して天地見当量を調整する第２天地見当量調整手段が設けられる、ことを特徴としている。
【００１４】
本発明の印刷機の見当装置では、前記第１分割版胴における各軸部が左右のフレームに対して回転自在で且つ回転軸方向に移動自在に支持され、前記第１分割版胴に前記第２分割版胴が軸方向に相対移動可能で且つ周方向に相対回転可能に連結され、前記左右のフレームのうちの一方のフレームに、前記第１分割版胴を回転軸方向に移動して左右見当量を調整する第１左右見当量調整手段が設けられ、前記左右のフレームのうちの他方のフレームに、前記第２分割版胴を回転軸方向に移動して左右見当量を調整する第２左右見当量調整手段と、前記第１分割版胴を周方向に回転して天地見当量を調整する第１天地見当量調整手段としての前記駆動モータと、前記第２分割版胴を周方向に回転して天地見当量を調整する第２天地見当量調整手段が設けられる、ことを特徴としている。
【００１５】
本発明の印刷機の見当装置では、前記他方のフレームに、前記第１版胴における前記第１分割版胴の天地見当量を調整したときに前記第２版胴における前記第１分割版胴の天地見当量を補正する前記天地見当量補正手段が設けられる、ことを特徴としている。
【発明の効果】
【００１６】
本発明の印刷機の見当装置によれば、印刷シートにおける表側及び裏側に対向して第１、第２ブランケット胴を配設すると共に、第１、第２ブランケット胴にそれぞれ対接して第１、第２版胴を配設し、各ブランケット胴及び各版胴を一つの駆動モータにより連動して駆動回転可能に構成し、第１版胴における天地見当量を調整可能な天地見当量調整手段として駆動モータを適用する一方、第１版胴における天地見当量を調整したときに第２版胴における天地見当量を補正する天地見当量補正手段を設けている。従って、駆動モータにより第１版胴における天地見当量を調整可能であり、このとき、天地見当量補正手段により第２版胴における天地見当量を補正することで、高精度な駆動モータなどの駆動源を不要とし、構造の簡素化及び低コスト化を可能とすることができる。
【００１７】
本発明の印刷機の見当装置によれば、各ブランケット胴の回転軸に互いに噛み合う第１、第２ヘリカルギアを固結し、天地見当量補正手段として、駆動モータと、第２ヘリカルギアを第２ブランケット胴の回転軸方向に移動自在に支持するギア支持手段と、駆動モータにより第２ヘリカルギアを軸方向に移動可能なギア移動手段とを設けるので、互いに噛み合う第１、第２ヘリカルギアの一方を軸方向に移動して第２版胴における天地見当量を補正することで、簡単な構成で容易に天地見当量の補正を行うことができる。
【００１８】
本発明の印刷機の見当装置によれば、各版胴を左右のフレームに対して回転自在で且つ回転軸方向に移動自在に支持する版胴支持部と、版胴支持部を介して版胴を回転軸方向に移動して左右見当量を調整する左右見当量調整手段を設けるので、版胴の天地見当だけでなく、左右見当も行うことができる。
【００１９】
本発明の印刷機の見当装置によれば、各版胴を第１分割版胴と第２分割版胴により構成し、天地見当量調整手段としての駆動モータにより第１版胴における第１分割版胴の天地見当量を調整可能とし、天地見当量補正手段により第２版胴における第１分割版胴の天地見当量を補正可能とするので、版胴が第１分割版胴と第２分割版胴に分割された構成であっても、連動する第１分割版胴同士、または、第２分割版胴同士の見当調整を適正に行うことができる。
【００２０】
本発明の印刷機の見当装置によれば、一方のフレームに、第１分割版胴の左右見当量を調整する第１左右見当量調整手段と、第２分割版胴の左右見当量を調整する第２左右見当量調整手段を設け、他方のフレームに、第１分割版胴の天地見当量を調整する第１天地見当量調整手段としての駆動モータと、第２分割版胴の天地見当量を調整する第２天地見当量調整手段を設けるので、一方のフレーム側に左右見当量調整手段を設け、他方のフレーム側に天地見当量調整手段を設けることで、見当量調整手段をバランスよく配置して操作性を向上することができる。
【００２１】
本発明の印刷機の見当装置によれば、一方のフレームに、第１分割版胴の左右見当量を調整する第１左右見当量調整手段を設け、他方のフレームに、第２分割版胴の左右見当量を調整する第２左右見当量調整手段と、第１分割版胴の天地見当量を調整する第１天地見当量調整手段としての駆動モータと、第２分割版胴の天地見当量を調整する第２天地見当量調整手段を設けるので、他方のフレーム側に３つの見当量調整手段を設けることで、一方のフレーム側に１つの見当量調整手段だけを設ければよく、一方側のスペースを拡大して操作性を向上することができる。
【００２２】
本発明の印刷機の見当装置によれば、他方のフレームに、第１版胴における第１分割版胴の天地見当量を調整したときに第２版胴における第１分割版胴の天地見当量を補正する天地見当量補正手段を設けるので、天地見当量調整手段としての駆動モータ側に天地見当量補正手段を設けることで、操作性の向上を図ることができる。
【図面の簡単な説明】
【００２３】
【図１】図１は、本発明の実施例１に係る印刷機の見当装置を表す概略構成図である。
【図２】図２は、実施例１の印刷機の見当装置が適用された新聞用オフセット輪転印刷機を表す概略図である。
【図３】図３は、実施例１の新聞用オフセット輪転印刷機における印刷ユニットの概略構成図である。
【図４】図４は、本発明の実施例２に係る印刷機の見当装置を表す概略構成図である。
【図５】図５は、本発明の実施例３に係る印刷機の見当装置を表す概略構成図である。
【発明を実施するための形態】
【００２４】
以下に添付図面を参照して、本発明に係る印刷機の見当装置の好適な実施例を詳細に説明する。なお、この実施例により本発明が限定されるものではない。
【実施例１】
【００２５】
図１は、本発明の実施例１に係る印刷機の見当装置を表す概略構成図、図２は、実施例１の印刷機の見当装置が適用された新聞用オフセット輪転印刷機を表す概略図、図３は、実施例１の新聞用オフセット輪転印刷機における印刷ユニットの概略構成図である。
【００２６】
実施例１において、図２に示すように、印刷機として適用された新聞用オフセット輪転印刷機は、給紙装置１１と、印刷装置１２と、ターンバー装置１３と、折機１４とから構成されている。そして、給紙装置１１には、それぞれウェブ（用紙）Ｗがロール状に巻かれた３つの巻取紙Ｒを保持する複数の保持アーム１５が設けられ、この各保持アーム１５を回動することで、巻取紙Ｒを給紙位置に回動することができる。また、この給紙装置１１には、図示しない紙継装置が設けられており、給紙位置で繰り出されている巻取紙Ｒが残り少なくなると、この紙継装置により給紙位置にある巻取紙Ｒに対して、待機位置にある巻取紙Ｒを紙継ぎすることができる。
【００２７】
また、印刷装置１２には、両面４色印刷を行う多色刷印刷ユニット１６と、両面２色印刷を行う２色刷印刷ユニット１７が設けられている。この多色刷印刷ユニット１６及び２色刷印刷ユニット１７は、給紙装置１１から供給されたウェブＷに対して所定の印刷を行うことができる。なお、本実施例では、印刷装置１２を、多色刷印刷ユニット１６と２色刷印刷ユニット１７により構成したが、この構成に限定されるものではない。例えば、両面単色印刷を行う両面単色刷ユニット、一面４色または２色印刷を行う多色刷印刷ユニットなど印刷物に応じて適宜各種ユニットを組み合わせて使用すればよい。
【００２８】
また、ターンバー装置１３には、図示しない複数のターンバーが設けられており、各印刷ユニット１６，１７から送り出された各ウェブＷの走行ルートを変更し、所定の順番に重ね合わせることができる。折機１４は、ターンバー装置１３から搬送されたウェブＷを縦折りし、所定の長さで横裁断し、更に横折りして所望の折帖を形成した後に排紙するものである。
【００２９】
従って、まず、給紙装置１１から印刷装置１２を構成する多色刷印刷ユニット１６や２色刷印刷ユニット１７にウェブＷが供給されると、各印刷ユニット１６，１７では、各ウェブＷに対して４色刷や２色刷が行われる。次に、各印刷ユニット１６，１７で印刷が施された複数のウェブＷは、ターンバー装置１３にて、走行ルートが変更されると共に、所定の順番に重ね合わせられる。そして、複数重ね合わされたウェブＷは、折機１４に搬送され、ここで縦折りされた後、横裁断され、更に横折りされて所望の折帖が形成され、羽根車により排紙コンベア上に排紙される。
【００３０】
この新聞用オフセット輪転印刷機における印刷装置１２にて、印刷ユニット１６は４色印刷が可能となるように、図３に示すように、Ｈ型のタワーユニットとなっている。この印刷ユニット１６は、墨（Black）、藍（Cyan）、紅（Magenta）、黄（Yellow）ごとの４つのスタックＡ，Ｂ，Ｃ，Ｄが上下に配置されて構成されており、各スタックＡ，Ｂ，Ｃ，Ｄは、それぞれ左右に対向して版胴２１，２２，３１，３２，４１，４２，５１，５２が対接し、各版胴２１，２２，３１，３２，４１，４２，５１，５２にブランケット胴２３，２４，３３，３４，４３，４４，５３，５４が対接し、各版胴２１，２２，３１，３２，４１，４２，５１，５２に図示しないインキ装置が設けられている。
【００３１】
この場合、スタックＡ，Ｃは、版胴２１，２２，４１，４２及びブランケット胴２３，２４，４３，４４がハの字形状に配列され、スタックＢ，Ｄは、版胴３１，３２，５１，５２及びブランケット胴３３，３４，５３，５４が逆ハの字形状に配列されている。以下に説明する本実施例の印刷機の見当装置は、スタックＢの版胴３２に対して見当調整を行うものである。
【００３２】
そして、各スタックＡ，Ｂ，Ｃ，Ｄにて、各版胴２１，２２，３１，３２，４１，４２，５１，５２とブランケット胴２３，２４，３３，３４，４３，４４，５３，５４は、図示しないギアにより駆動連結されており、一つの駆動モータ２５，３５，４５，５５により連動して駆動回転可能となっている。即ち、駆動モータ２５により各版胴２１，２２とブランケット胴２３，２４が連動して駆動回転可能であり、他のスタックＢ，Ｃ，Ｄも同様の構成となっている。
【００３３】
実施例１の印刷機の見当装置では、各スタックＡ，Ｂ，Ｃ，Ｄにて、この駆動モータ２５，３５，４５，５５を天地見当用の駆動源と兼用して利用することで、構造の簡素化及び低コスト化を可能としている。なお、各スタックＡ，Ｂ，Ｃ，Ｄでは、ほぼ同様の構成をなしていることから、以下では、スタックＡについて詳細に説明する。
【００３４】
実施例１の印刷機の見当装置にて、図１に示すように、左右のフレーム６１，６２には、円筒形状をなすカラー６３，６４が、例えば、版胴およびブランケット胴間の印圧を変えるために、周方向に所定角度回転可能であり、且つ、軸方向に沿って移動自在に支持されている。この場合、フレーム６１が操作側フレームであり、フレーム６２が駆動側フレームとなっている。
【００３５】
回転軸６５は、左右のフレーム６１，６２におけるカラー６３，６４を貫通して配置されており、軸方向にて、ほぼ同径となっている。この回転軸６５は、外周部に版胴本体(第１分割版胴)６６が嵌合し、この版胴本体６６にて、軸方向の各端部に設けられる各支持部６６ａ，６６ｂが軸受６７，６８によりカラー６３，６４の内周部に回転自在で、係止リング６９，７０により軸方向に一体移動可能に支持されている。また、版胴本体６６は、左右のフレーム６１，６２の間に位置して、本体部６６ｃと小径部６６ｄを有しており、この本体部６６ｃと小径部６６ｄとは、軸方向の長さがほぼ同様の長さに設定されている。そして、この版胴本体６６の小径部６６ｄに、円筒形状をなす版胴分割体(第２分割版胴)７１が嵌合しており、この版胴分割体７１は、連結ピン７２により回転軸６５と連結され、一体回転可能で、且つ、軸方向に一体移動可能となっている。なお、版胴本体６６と版胴分割体７１は、同一外径に設定され、外周部に図示しない刷版が着脱可能となっている。
【００３６】
なお、連結ピン７２は、版胴本体６６に形成された貫通孔６６ｅに接触することなく貫通することで、版胴本体６６と版胴分割体７１は、天地見当調整のために周方向に所定範囲にわたって相対回転可能であると共に、左右見当調整のために軸方向に所定範囲にわたって移動可能である。
【００３７】
一方のカラー６３には、連結円筒７３の一端部が固定され、連結円筒７３の他端の外周部には、従動ギア７４における内周側のねじ部７４ａが螺合している。また、回転軸６５の一端部には、軸受７５を介して連結軸７６の一端部が相対回転自在に連結され、連結軸７６は、他端部が連結円筒７３を貫通して外部に突出し、外周部に従動ギア７７における内周側のねじ部７７ａが螺合している。そして、本体左右見当量調整用の駆動モータ７８は、駆動軸に駆動ギア７９が固結され、駆動ギア７９が従動ギア７４に噛み合っている。また、分割体左右見当量調整用の駆動モータ８０は、駆動軸に駆動ギア８１が固結され、駆動ギア８１が従動ギア７７に噛み合っている。この駆動モータ７８，８０はフレーム６１に装着されている。
【００３８】
なお、本実施例では、版胴本体６６と版胴分割体７１により第１版胴２１が構成されている。また、カラー６３，６４、回転軸６５、軸受６７，６８、係止リング６９，７０などにより本発明の版胴支持部が構成され、連結円筒７３、連結軸７６、従動ギア７４，７７、駆動モータ７８，８０、駆動ギア７９，８１などにより本発明の左右見当量調整手段が構成される。
【００３９】
従って、駆動モータ７８を駆動すると、駆動ギア７９の回転が従動ギア７４に伝達されて回転し、この従動ギア７４が回転すると、ねじ部７４ａにより連結円筒７３が軸方向に移動し、連結円筒７３の移動がカラー６３及び軸受６７を介して版胴本体６６に伝達され、この版胴本体６６が回転軸６５の軸方向に移動し、左右見当量を調整することができる。また、駆動モータ８０を駆動すると、駆動ギア８１の回転が従動ギア７７に伝達されて回転し、この従動ギア７７が回転すると、ねじ部７７ａにより連結軸７６が軸方向に移動し、連結軸７６の移動が軸受７５を介して回転軸６５に伝達され、更に、連結ピン７２を介して版胴分割体７１に伝達され、この版胴分割体７１が回転軸６５の軸方向に移動し、左右見当量を調整することができる。
【００４０】
フレーム６２の外側にて、版胴本体６６の他端部には、係止リング８２により駆動ギア８３が固結され、回転軸６５の他端部には、キー８４及びスプライン８５によりヘリカルギア８６が軸方向に移動可能で、且つ、周方向に一体回転可能に連結されている。また、第１ブランケット胴２３は、一体回転する回転軸８７が左右のフレーム６１，６２に回転自在に支持され、フレーム６２の外側にて、回転軸８７の他端部には、駆動ギア８８が固結されると共に、ヘリカルギア８９が固結されている。そして、第１版胴２１と第１ブランケット胴２３にて、駆動ギア８３が駆動ギア８８と噛み合い、ヘリカルギア８６がヘリカルギア８９と噛み合っている。
【００４１】
一方で、第２版胴２２は、第１版胴２１と同様に、回転軸９０に対して、版胴本体９１と版胴分割体９２を有しており、フレーム６２の外側にて、版胴本体９１の他端部に駆動ギア９３が固結され、版胴分割体９１の他端部にヘリカルギア９４が軸方向に移動可能で、且つ、周方向に一体回転可能に連結されている。また、第２ブランケット胴２４は、一体回転する回転軸９５が左右のフレーム６１，６２に回転自在に支持され、フレーム６２の外側にて、回転軸９５の他端部には、駆動ギア９６が固結されると共に、ヘリカルギア９７が固結されている。そして、第２版胴２２と第２ブランケット胴２４にて、駆動ギア９３が駆動ギア９６と噛み合い、ヘリカルギア９４がヘリカルギア９７と噛み合っている。
【００４２】
ブランケット胴２３とブランケット胴２４にて、駆動ギア８８と駆動ギア９６は、軸方向にずれて位置することで、両者が噛み合っておらず、また、ヘリカルギア８９とヘリカルギア９７も、軸方向にずれて位置することで、両者が噛み合っていない。そして、第２ブランケット胴２４の回転軸９５には、スプライン９８を介してヘリカル連結ギア９９が軸方向に移動可能で、且つ、周方向に一体回転可能に連結されており、このヘリカル連結ギア９９は、第１ブランケット胴２３のヘリカルギア８９と噛み合っている。そして、駆動モータ２５の駆動軸に固結された駆動ギア１００が第１ブランケット胴２３の駆動ギア８８に噛み合っている。
【００４３】
従って、駆動モータ２５を駆動すると、駆動ギア１００の回転が駆動ギア８８に伝達され、第１ブランケット胴２３が駆動回転することができる。また、駆動ギア８８の回転が駆動ギア８３に伝達されて版胴本体６６が駆動回転する。また、駆動ギア８８の回転が回転軸８７、ヘリカルギア８９，８６を介して回転軸６５に伝達され、更に、連結ピン７２から版胴分割体７１に伝達されて駆動回転する。そのため、第１版胴２１が回転することができる。一方、ヘリカルギア８９の回転は、ヘリカル連結ギア９９を介して回転軸９５に伝達され、第２ブランケット胴２４が駆動回転することができる。また、回転軸９５の回転が駆動ギア９６を介して駆動ギア９３に伝達され、版胴本体９１が回転する。また、ヘリカルギア９７の回転がヘリカルギア９４を介して回転軸９０に伝達され、更に、図示しない連結ピンから版胴分割体９２に伝達されて駆動回転する。そのため、第２版胴２２が回転することができる。
【００４４】
そして、本実施例では、第１版胴２１における版胴本体６６の天地見当量を調整可能な天地見当量調整手段として駆動モータ２５を適用する一方、第１版胴２１における版胴本体６６の天地見当量を調整したときに、第２版胴２２における版胴本体９１の天地見当量を補正する天地見当量補正手段を設けている。この場合、ブランケット胴２３，２４の回転軸８７，９５に互いに噛み合うヘリカルギア８９（第１ヘリカルギア）及びヘリカル連結ギア９９（第２ヘリカルギア）が固結され、天地見当量補正手段は、ヘリカル連結ギア９９を第２ブランケット胴２４の軸方向に移動自在に支持するギア支持手段と、ヘリカル連結ギア９９を軸方向に移動可能なギア移動手段とを有している。
【００４５】
具体的に説明すると、ヘリカル連結ギア９９には、複数の連結ロッド１０１を介して回転体１０２が連結され、この回転体１０２には軸受１０３を介して移動軸１０４が軸方向に移動不能で、且つ、周方向に相対回転可能に連結されている。この移動軸１０４には、ねじ軸１０５が螺合している。そして、本体天地見当量補正用の駆動モータ１０６は、駆動軸がこのねじ軸１０５に固結されている。この駆動モータ１０６はフレーム６２に装着されている。
【００４６】
本実施例では、スプライン９８により本発明のギア支持手段が構成され、駆動モータ１０６、ねじ軸１０５、移動軸１０４、回転体１０２、連結ロッド１０１などにより本発明のギア移動手段が構成される。
【００４７】
従って、駆動モータ２５を駆動すると、駆動ギア１００の回転が駆動ギア８８に伝達され、駆動ギア８３を介して版胴本体６６が駆動回転することで、この版胴本体６６における天地見当を行うことができる。このとき、駆動ギア８８の回転が回転軸８７、ヘリカルギア８９、ヘリカル連結ギア９９、回転軸９５、駆動ギア９６に伝達され、駆動ギア９３を介して版胴本体９１が回転してしまう。そのため、駆動モータ１０６を駆動し、ねじ軸１０５を回転することで、移動軸１０４を軸方向に移動し、回転体１０２及び連結ロッド１０１を介してヘリカル連結ギア９９を軸方向に移動する。すると、ヘリカル連結ギア９９とヘリカルギア８９との噛み合い部にて、ギアの傾斜角度に対してヘリカル連結ギア９９の移動量に応じた量だけ、ヘリカル連結ギア９９が回転し、この回転がヘリカル連結ギア９９、回転軸９５、駆動ギア９６に伝達され、駆動ギア９３を介して版胴本体９１を回転する。
【００４８】
この場合、駆動モータ１０６によるヘリカル連結ギア９９の移動方向、つまり、ヘリカル連結ギア９９の回転方向が、駆動モータ２５によるヘリカル連結ギア９９の回転方向と逆方向となるように制御する。また、駆動モータ１０６によるヘリカル連結ギア９９の移動量、つまり、ヘリカル連結ギア９９の回転量（角度）が、駆動モータ２５によるヘリカル連結ギア９９の回転量（角度）、つまり、見当調整量と同一となるように制御する。
【００４９】
その後、駆動モータ１０６を再び駆動し、ヘリカル連結ギア９９を軸方向に移動し、回転軸９５、駆動ギア９６、駆動ギア９３を介して版胴本体９１を回転することで、この版胴本体９１における天地見当を行うことができる。
【００５０】
また、第１版胴２１にて、ヘリカルギア８６には、軸受１０７を介して連結円筒１０８の一端部が固定されている。そして、分割体天地見当量調整用の駆動モータ１０９は、駆動軸にねじ軸１１０が固結され、このねじ軸１１０が連結円筒１０８に螺合している。この駆動モータ１０９はフレーム６２に装着されている。本実施例では、連結円筒１０８、駆動モータ１０９、ねじ軸１１０などにより本発明の分割体天地見当量調整手段が構成される。なお、第２版胴２２にも、この第１版胴２１と同様に構成される分割体天地見当量調整手段が設けられている。
【００５１】
従って、駆動モータ１０９を駆動すると、ねじ軸１１０が回転することで、連結円筒１０８が軸方向に移動し、この連結円筒１０８の移動が軸受１０７を介してヘリカルギア８６に伝達され、このヘリカルギア８６が軸方向に移動することで、ヘリカルギア８６とヘリカルギア８９との噛み合い部にて、ギアの傾斜角度に対してヘリカルギア８６の移動量に応じた量だけ、ヘリカルギア８６が回転し、この回転が回転軸６５、連結ピン７２を介して版胴分割体７１に伝達され、この版胴分割体７１が回転し、天地見当量を調整することができる。
【００５２】
このように実施例１の印刷機の見当装置にあっては、ウェブＷにおける表側及び裏側に対向して第１、第２ブランケット胴２３，２４が配設されると共に、この第１、第２ブランケット胴２３，２４にそれぞれ対接して第１、第２版胴２１，２２が配設され、各ブランケット胴２３，２４及び各版胴２１，２２が一つの駆動モータ２５により連動して駆動回転可能に構成し、第１版胴２１（版胴本体６６）における天地見当量を調整可能な天地見当量調整手段として駆動モータ２５を適用する一方、第１版胴２１における天地見当量を調整したときに第２版胴２２（版胴本体９１）における天地見当量を補正する天地見当量補正手段としての駆動モータ１０６を設けている。
【００５３】
従って、各ブランケット胴２３，２４及び各版胴２１，２２を駆動する駆動モータ２５により、第１版胴２１における天地見当量が調整可能であり、このとき、駆動モータ１０６により第２版胴２２における天地見当量を補正することで、駆動モータ２５を第１版胴２１の天地見当量調整手段として適用することができ、また、天地見当量補正手段としての駆動モータ１０６は小型モータでよく、高精度な駆動モータなどの駆動源を不要とし、構造の簡素化及び低コスト化を可能とすることができる。
【００５４】
また、実施例１の印刷機の見当装置では、第１ブランケット胴２３の回転軸８７にヘリカルギア８９を固結する一方、第２ブランケット胴２４の回転軸９５にヘリカルギア９７を固結すると共に、ヘリカルギア８９に噛み合うヘリカル連結ギア９９を固結し、ヘリカル連結ギア９９をスプライン９８により回転軸９５の軸方向に移動自在に支持すると共に、駆動モータ１０６によりヘリカル連結ギア９９を軸方向に移動可能としている。従って、ヘリカルギア８９に噛み合うヘリカル連結ギア９９を軸方向に移動すると、歯の傾斜角度に応じて第２版胴２２が回転し、この第２版胴２２における天地見当量を補正することができ、簡単な構成で容易に天地見当量の補正を行うことができる。
【００５５】
また、実施例１の印刷機の見当装置では、各版胴を版胴本体６６，９１と版胴分割体７１，９２により構成し、駆動モータ２５により第１版胴２１における版胴本体６６の天地見当量を調整可能とし、駆動モータ１０６により第２版胴２２における版胴本体９１の天地見当量を補正可能としている。従って、版胴２１，２２が２つに分割された構成であっても、連動する版胴本体６６，９１同士の見当調整を適正に行うことができる。
【００５６】
また、実施例１の印刷機の見当装置では、第１版胴２１にて、版胴本体６６及び版胴分割体７１を左右のフレーム６１，６２に対して回転自在で且つ回転軸方向に移動自在に支持し、駆動モータ７８，８０により版胴本体６６及び版胴分割体７１を回転軸６５の軸方向に移動して左右見当量を調整可能としている。従って、版胴本体６６及び版胴分割体７１の天地見当だけでなく、左右見当も独立して行うことができる。
【００５７】
また、実施例１の印刷機の見当装置では、第１版胴２１にて、版胴回転軸６５を左右のフレーム６１，６２に対して回転自在で且つ回転軸方向に移動自在に支持し、版胴回転軸６５に版胴本体６６を軸方向に相対移動可能で且つ周方向に相対回転可能に連結すると共に、版胴分割体７１を軸方向に一体移動可能で且つ周方向に一体回転可能に連結し、操作側のフレーム６１に、版胴本体６６の左右見当量を調整する駆動モータ７８と、版胴分割体７１の左右見当量を調整する駆動モータ８０を設け、駆動側のフレーム６２に、版胴本体６６の天地見当量を調整する駆動モータ２５と、版胴分割体７１の天地見当量を調整する駆動モータ１０９を設けている。従って、フレーム６１側に左右見当量調整手段としての駆動モータ７８，８０を設け、フレーム６２側に天地見当量調整手段としての駆動モータ２５，１０９を設けることで、見当量調整手段をバランスよく配置して操作性を向上することができる。
【００５８】
また、実施例１の印刷機の見当装置では、駆動側のフレーム６２に、第１版胴２１における版胴本体６６の天地見当量を調整したときに第２版胴２２の天地見当量を補正する駆動モータ１０６を設けている。従って、版胴本体６６，７１の天地見当量調整手段としての駆動モータ２５，１０６を同じフレーム６２側に配置することで、操作性の向上を図ることができる。
【実施例２】
【００５９】
図４は、本発明の実施例２に係る印刷機の見当装置を表す概略構成図である。なお、前述した実施例で説明したものと同様の機能を有する部材には同一の符号を付して重複する説明は省略する。
【００６０】
実施例２の印刷機にて、図４に示すように、印刷ユニットは、版胴２０１，２０２とブランケット胴２０３，２０４が、図示しない軸を介して駆動連結されており、一つの駆動モータ２０５により連動して駆動回転可能となっている。
【００６１】
実施例２の印刷機の見当装置にて、左右のフレーム６１，６２には、カラー６３，６４が版胴及びブランケット胴間の印圧を変えるために、周方向に所定角度回転可能であり、且つ、軸方向に沿って移動自在に支持されている。第１版胴２０１は、版胴本体（第１分割版胴）２１１と版胴分割体２１２とが軸方向に直列に配置されて構成されている。版胴本体２１１は、軸方向の各端部に設けられる各軸部２１１ａ，２１１ｂが左右のフレーム６１，６２におけるカラー６３，６４を貫通して配置されている。そして、この各軸部２１１ａ，２１１ｂが軸受６７，６８によりカラー６３，６４の内周部に回転自在で、係止リング６９，７０により軸方向に一体移動可能に支持されている。
【００６２】
また、版胴本体２１１は、左右のフレーム６１，６２の間に位置して、本体部２１１ｃと小径部２１１ｄを有しており、この本体部２１１ｃと小径部２１１ｄとは、軸方向の長さがほぼ同様の長さに設定されている。そして、この版胴本体２１１の小径部２１１ｄに、円筒形状をなす版胴分割体２１２が嵌合している。また、版胴本体２１１における軸部２１１ｂは円筒形状をなし、内部に連結軸２１３が貫通している。そして、版胴分割体２１２は、連結ピン２１４により連結軸２１３と連結され、一体回転可能で、且つ、軸方向に一体移動可能となっている。なお、版胴本体２１１と版胴分割体２１２は、同一外径に設定され、外周部に図示しない刷版が着脱可能となっている。
【００６３】
なお、連結ピン２１４は、版胴本体２１１に形成された貫通孔２１１ｅに接触することなく貫通することで、版胴本体２１１と版胴分割体２１２は、天地見当調整のために周方向に所定範囲にわたって相対回転可能であると共に、左右見当調整のために軸方向に所定範囲にわたって移動可能である。
【００６４】
一方のカラー６３には、連結円筒７３の一端部が固定され、連結円筒７３の内周部に軸受２１５を介して移動軸２１６が回転自在に連結されている。本体左右見当量調整用の駆動モータ７８は、駆動軸にねじ軸２１７が固結され、ねじ軸２１７が移動軸２１６に螺合している。
【００６５】
従って、駆動モータ７８を駆動すると、ねじ軸２１７が回転することで、移動軸２１６及び軸受２１５を介して連結円筒７３が軸方向に移動し、連結円筒７３の移動がカラー６３及び軸受６７を介して版胴本体２１１に伝達され、この版胴本体２１１が軸方向に移動し、左右見当量を調整することができる。
【００６６】
フレーム６２の外側にて、版胴本体２１１の他端部には、係止リング８２により駆動ギア８３が固結され、連結軸２１３の他端部には回転体２１８が固結され、この回転体２１８には、スプライン２１９によりヘリカルギア８６が軸方向に移動可能で、且つ、周方向に一体回転可能に連結されている。また、第１ブランケット胴２０３は、一体回転する回転軸８７が左右のフレーム６１，６２に回転自在に支持され、フレーム６２の外側にて、回転軸８７の他端部には、駆動ギア８８が固結されると共に、ヘリカルギア８９が固結されている。そして、第１版胴２０１と第１ブランケット胴２０３にて、駆動ギア８３が駆動ギア８８と噛み合い、ヘリカルギア８６がヘリカルギア８９と噛み合っている。
【００６７】
一方で、第２版胴２１２は、第１版胴２０１と同様に、版胴本体２２０と版胴分割体２２１を有しており、フレーム６２の外側にて、版胴本体２２０の他端部に駆動ギア９３が固結され、版胴分割体２２１の他端部にヘリカルギア９４が軸方向に移動可能で、且つ、周方向に一体回転可能に連結されている。また、第２ブランケット胴２０４は、一体回転する回転軸９５が左右のフレーム６１，６２に回転自在に支持され、フレーム６２の外側にて、回転軸９５の他端部に、駆動ギア９６が固結されると共に、ヘリカルギア９７が固結されている。そして、第２版胴２０２と第２ブランケット胴２０４にて、駆動ギア９３が駆動ギア９６と噛み合い、ヘリカルギア９４がヘリカルギア９７と噛み合っている。
【００６８】
ブランケット胴２０３とブランケット胴２０４にて、駆動ギア８８と駆動ギア９６は、軸方向にずれて位置することで、両者が噛み合っておらず、また、ヘリカルギア８９とヘリカルギア９７も、軸方向にずれて位置することで、両者が噛み合っていない。そして、第２ブランケット胴２０４の回転軸９５には、スプライン９８を介してヘリカル連結ギア９９が軸方向に移動可能で、且つ、周方向に一体回転可能に連結されており、このヘリカル連結ギア９９は、第１ブランケット胴２０３のヘリカルギア８９と噛み合っている。そして、駆動モータ２０５の駆動軸に固結された駆動ギア１００が第１ブランケット胴２０３の駆動ギア８８に噛み合っている。
【００６９】
従って、駆動モータ２０５を駆動すると、駆動ギア１００の回転が駆動ギア８８に伝達され、第１ブランケット胴２０３が駆動回転することができる。また、駆動ギア８８の回転が駆動ギア８３に伝達されて版胴本体２１１が駆動回転する。また、駆動ギア８８の回転が回転軸８７、ヘリカルギア８９，８６を介して連結軸２１３に伝達され、更に、連結ピン２１４から版胴分割体２１２に伝達されて駆動回転する。そのため、第１版胴２０１が回転することができる。一方、ヘリカルギア８９の回転は、ヘリカル連結ギア９９を介して回転軸９５に伝達され、第２ブランケット胴２０４が駆動回転することができる。また、回転軸９５の回転が駆動ギア９６を介して駆動ギア９３に伝達され、版胴本体２２０が回転する。また、ヘリカルギア９７の回転がヘリカルギア９４を介して図示しない連結軸に伝達され、更に、図示しない連結ピンから版胴分割体２２１に伝達されて駆動回転する。そのため、第２版胴２０２が回転することができる。
【００７０】
そして、ヘリカル連結ギア９９には、複数の連結ロッド１０１を介して回転体１０２が連結され、この回転体１０２には軸受１０３を介して移動軸１０４が軸方向に移動不能で、且つ、周方向に相対回転可能に連結されている。この移動軸１０４には、ねじ軸１０５が螺合している。そして、本体天地見当量補正用の駆動モータ１０６は、駆動軸がこのねじ軸１０５に固結されている。この駆動モータ１０６はフレーム６２に装着されている。
【００７１】
従って、駆動モータ２０５を駆動すると、駆動ギア１００の回転が駆動ギア８８に伝達され、駆動ギア８３を介して版胴本体２１１が駆動回転することで、この版胴本体２１１における天地見当を行うことができる。このとき、駆動ギア８８の回転が回転軸８７、ヘリカルギア８９、ヘリカル連結ギア９９、回転軸９５、駆動ギア９６に伝達され、駆動ギア９３を介して版胴本体２２０が回転してしまう。そのため、駆動モータ１０６を駆動し、ねじ軸１０５を回転することで、移動軸１０４を軸方向に移動し、回転体１０２及び連結ロッド１０１を介してヘリカル連結ギア９９を軸方向に移動する。すると、ヘリカル連結ギア９９とヘリカルギア８９との噛み合い部にて、ギアの傾斜角度に対してヘリカル連結ギア９９の移動量に応じた量だけ、ヘリカル連結ギア９９が回転し、この回転がヘリカル連結ギア９９、回転軸９５、駆動ギア９６に伝達され、駆動ギア９３を介して版胴本体２２０を回転する。
【００７２】
この場合、駆動モータ１０６によるヘリカル連結ギア９９の移動方向、つまり、ヘリカル連結ギア９９の回転方向が、駆動モータ２０５によるヘリカル連結ギア９９の回転方向と逆方向となるように制御する。また、駆動モータ１０６によるヘリカル連結ギア９９の移動量、つまり、ヘリカル連結ギア９９の回転量（角度）が、駆動モータ２０５によるヘリカル連結ギア９９の回転量（角度）、つまり、見当調整量と同一となるように制御する。
【００７３】
その後、駆動モータ１０６を再び駆動し、ヘリカル連結ギア９９が軸方向に移動し、回転軸９５、駆動ギア９６、駆動ギア９３を介して版胴本体２２０を回転することで、この版胴本体２２０における天地見当を行うことができる。
【００７４】
また、第１版胴２０１にて、ヘリカルギア８６には、軸受１０７を介して連結円筒１０８の一端部が固定され、連結円筒１０８の他端の外周部には、従動ギア２２２における内周側のねじ部２２２ａが螺合している。そして、分割体天地見当量調整用の駆動モータ１０９は、駆動軸に駆動ギア２２３が固結され、この駆動ギア２２３が従動ギア２２２に噛み合っている。この駆動モータ１０９はフレーム６２に装着されている。本実施例では、連結円筒１０８、駆動モータ１０９、従動ギア２２２、駆動ギア２２３などにより本発明の分割体天地見当量調整手段が構成される。なお、第２版胴２０２にも、この第１版胴２１と同様に構成される分割体天地見当量調整手段が設けられている。
【００７５】
従って、駆動モータ１０９を駆動すると、駆動ギア２２３の回転が従動ギア２２２に伝達されて回転し、この従動ギア２２２が回転すると、ねじ部２２２ａにより連結円筒１０８が軸方向に移動し、この連結円筒１０８の移動が軸受１０７を介してヘリカルギア８６に伝達され、このヘリカルギア８６が軸方向に移動することで、ヘリカルギア８６とヘリカルギア８９との噛み合い部にて、ギアの傾斜角度に対してヘリカルギア８６の移動量に応じた量だけ、ヘリカルギア８６が回転し、この回転が連結軸２１３、連結ピン２１４を介して版胴分割体２１２に伝達され、この版胴分割体２１２が回転し、天地見当量を調整することができる。
【００７６】
また、第１版胴２０１にて、回転体２１８の一端部には、軸受７５を介して連結軸７６の一端部が相対回転自在に連結され、連結軸７６は、他端部が連結円筒１０８を貫通して外部に突出し、外周部に従動ギア７７における内周側のねじ部７７ａが螺合している。そして、分割体左右見当量調整用の駆動モータ８０は、駆動軸に駆動ギア８１が固結され、駆動ギア８１が従動ギア７７に噛み合っている。この駆動モータ８０はフレーム６２に装着されている。本実施例では、連結円筒１０８、連結軸７６、従動ギア７７、駆動モータ８０、駆動ギア８１などにより本発明の分割体左右見当量調整手段が構成される。
【００７７】
従って、駆動モータ８０を駆動すると、駆動ギア８１の回転が従動ギア７７に伝達されて回転し、この従動ギア７７が回転すると、ねじ部７７ａにより連結軸７６が軸方向に移動し、連結軸７６の移動が軸受７５及び回転体２１８を介して連結軸２１３に伝達され、更に、連結ピン２１４を介して版胴分割体２１２に伝達され、この版胴分割体２１２が軸方向に移動し、左右見当量を調整することができる。
【００７８】
このように実施例２の印刷機の見当装置にあっては、ウェブＷにおける表側及び裏側に対向して第１、第２ブランケット胴２０３，２０４が配設されると共に、この第１、第２ブランケット胴２０３，２０４にそれぞれ対接して第１、第２版胴２０１，２０２が配設され、各ブランケット胴２０３，２０４及び各版胴２０１，２０２が一つの駆動モータ２０５により連動して駆動回転可能に構成し、第１版胴２０１（版胴本体２１１）における天地見当量を調整可能な天地見当量調整手段として駆動モータ２０５を適用する一方、第１版胴２０１における天地見当量を調整したときに第２版胴２０２（版胴本体２２０）における天地見当量を補正する天地見当量補正手段としての駆動モータ１０６を設けている。
【００７９】
従って、各ブランケット胴２０３，２０４及び各版胴２０１，２０２を駆動する駆動モータ２０５により、第１版胴２０１における天地見当量が調整可能であり、このとき、駆動モータ１０６により第２版胴２０２における天地見当量を補正することで、駆動モータ２０５を第１版胴２０１の天地見当量調整手段として適用することができ、また、天地見当量補正手段としての駆動モータ１０６は小型モータでよく、高精度な駆動モータなどの駆動源を不要とし、構造の簡素化及び低コスト化を可能とすることができる。
【００８０】
また、実施例２の印刷機の見当装置では、第１版胴２０１にて、版胴本体２１１における軸部２１１ａ，２１１ｂを左右のフレーム６１，６２に対して回転自在で且つ軸方向に移動自在に支持し、版胴本体２１１に版胴分割体２１２を軸方向に相対移動可能で且つ周方向に相対回転可能に連結し、操作側のフレーム６１に、版胴本体２１１を軸方向に移動して左右見当量を調整する駆動モータ７８を設ける一方、駆動側のフレーム６２に、版胴分割体２１２を軸方向に移動して左右見当量を調整する駆動モータ８０と、版胴本体２１１を周方向に回転して天地見当量を調整する駆動モータ２０５と、版胴分割体２１２を周方向に回転して天地見当量を調整する駆動モータ１０９を設けている。従って、操作側のフレーム６１に１つの左右見当量調整手段としての駆動モータ７８だけを設ければよく、操作側のスペースを拡大して作業者による操作性を向上することができる。
【実施例３】
【００８１】
図５は、本発明の実施例３に係る印刷機の見当装置を表す概略構成図である。なお、前述した実施例で説明したものと同様の機能を有する部材には同一の符号を付して重複する説明は省略する。
【００８２】
実施例３の印刷機にて、図５に示すように、印刷ユニットは、版胴３０１，３０２とブランケット胴３０３，３０４が、図示しないギアにより駆動連結されており、一つの駆動モータ３０５により連動して駆動回転可能となっている。
【００８３】
実施例３の印刷機の見当装置にて、左右のフレーム６１，６２には、カラー６３，６４が周方向に沿って回転不能で、且つ、軸方向に沿って移動自在に支持されている。第１版胴３０１は、軸方向の各端部に設けられる各軸部３０１ａ，３０１ｂが各カラー６３，６４に軸受６７，６８を介して回転自在で、係止リング６９，７０により軸方向に一体移動可能に支持されている。
【００８４】
一方のカラー６３には、連結円筒７３の一端部が固定され、連結円筒７３の内周部に軸受２１５を介して移動軸２１６が回転自在に連結されている。本体左右見当量調整用の駆動モータ７８は、駆動軸にねじ軸２１７が固結され、ねじ軸２１７が移動軸２１６に螺合している。
【００８５】
従って、駆動モータ７８を駆動すると、ねじ軸２１７が回転することで、移動軸２１６及び軸受２１５を介して連結円筒７３が軸方向に移動し、連結円筒７３の移動がカラー６３及び軸受６７を介して第１版胴３０１に伝達され、この第１版胴３０１が軸方向に移動し、左右見当量を調整することができる。
【００８６】
フレーム６２の外側にて、軸部３０１ｂには、ヘリカルギア３１１が固結されている。また、第１ブランケット胴３０３は、一体回転する回転軸８７が左右のフレーム６１，６２に回転自在に支持され、フレーム６２の外側にて、回転軸８７の他端部に、ヘリカルギア３１２が固結されている。そして、第１版胴３０１と第１ブランケット胴３０３にて、ヘリカルギア３１１がヘリカルギア３１２と噛み合っている。
【００８７】
一方で、第２版胴３０２は、フレーム６２の外側にて、軸部３０２ｂにヘリカルギア３１４がキー３１５（または、スプライン）により軸方向に移動可能で、且つ、周方向に一体回転可能に連結されている。また、第２ブランケット胴３０４は、一体回転する回転軸９５が左右のフレーム６１，６２に回転自在に支持され、フレーム６２の外側にて、回転軸９５の他端部に、ヘリカルギア３１３が固結されている。そして、第２版胴３０２と第２ブランケット胴３０４にて、ヘリカルギア３１４がヘリカルギア３１３と噛み合っている。
【００８８】
従って、駆動モータ３０５を駆動すると、駆動ギア１００の回転がヘリカルギア３１２に伝達され、回転軸８７を介して第１ブランケット胴３０３が駆動回転することができる。また、ヘリカルギア３１２の回転がヘリカルギア３１１に伝達されて第１版胴３０１が駆動回転することができる。一方、ヘリカルギア３１２の回転は、ヘリカルギア３１３に伝達され、回転軸９５を介して第２ブランケット胴３０４が駆動回転することができる。また、ヘリカルギア３１３の回転は、ヘリカルギア３１４に伝達され、第２版胴３０２が回転することができる。
【００８９】
そして、第２版胴３０２にて、ヘリカルギア３１４には、連結円筒３１６が連結され、この連結円筒３１６には軸受１０３を介して移動軸１０４が軸方向に移動不能で、且つ、周方向に相対回転可能に連結されている。この移動軸１０４には、ねじ軸１０５が螺合している。そして、本体天地見当量補正用の駆動モータ１０６は、駆動軸がこのねじ軸１０５に固結されている。この駆動モータ１０６はフレーム６２に装着されている。
【００９０】
従って、駆動モータ３０５を駆動すると、駆動ギア１００の回転がヘリカルギア３１２に伝達され、ヘリカルギア３１１を介して第１版胴３０１が駆動回転することで、この第１版胴３０１における天地見当を行うことができる。このとき、ヘリカルギア３１２の回転がヘリカルギア３１３，３１４を介して第２版胴３０２に伝達されて回転してしまう。そのため、駆動モータ１０６を駆動し、ねじ軸１０５を回転することで、移動軸１０４を軸方向に移動し、連結円筒３１６を介してヘリカルギア３１４を軸方向に移動する。すると、ヘリカルギア３１４とヘリカルギア３１３との噛み合い部にて、ギアの傾斜角度に対してヘリカルギア３１４の移動量に応じた量だけ、ヘリカルギア３１４が回転し、この回転がヘリカルギア３１４を介して第２版胴３０２に伝達されて回転する。
【００９１】
この場合、駆動モータ１０６によるヘリカルギア３１４の移動方向、つまり、ヘリカルギア３１４の回転方向が、駆動モータ３０５によるヘリカルギア３１４の回転方向と逆方向となるように制御する。また、駆動モータ１０６によるヘリカルギア３１４の移動量、つまり、ヘリカルギア３１４の回転量（角度）が、駆動モータ３０５によるヘリカルギア３１４の回転量（角度）、つまり、見当調整量と同一となるように制御する。
【００９２】
その後、駆動モータ１０６を再び駆動し、ヘリカルギア３１４を軸方向に移動し、第２版胴３０２を回転することで、この第２版胴３０２における天地見当を行うことができる。
【００９３】
このように実施例３の印刷機の見当装置にあっては、ウェブＷにおける表側及び裏側に対向して第１、第２ブランケット胴３０３，３０４が配設されると共に、この第１、第２ブランケット胴３０３，３０４にそれぞれ対接して第１、第２版胴３０１，３０２が配設され、各ブランケット胴３０３，３０４及び各版胴３０１，３０２が一つの駆動モータ３０５により連動して駆動回転可能に構成し、第１版胴３０１における天地見当量を調整可能な天地見当量調整手段として駆動モータ３０５を適用する一方、第１版胴３０１における天地見当量を調整したときに第２版胴３０２における天地見当量を補正する天地見当量補正手段としての駆動モータ１０６を設けている。
【００９４】
従って、各ブランケット胴３０３，３０４及び各版胴３０１，３０２を駆動する駆動モータ３０５により、第１版胴３０１における天地見当量が調整可能であり、このとき、駆動モータ１０６により第２版胴３０２における天地見当量を補正することで、駆動モータ３０５を第１版胴３０１の天地見当量調整手段として適用することができ、また、天地見当量補正手段としての駆動モータ１０６は小型モータでよく、高精度な駆動モータなどの駆動源を不要とし、構造の簡素化及び低コスト化を可能とすることができる。
【００９５】
なお、上述した各実施例では、駆動モータ２５，２０５，３０５により第１版胴２１，２０１の版胴本体６６，２１１及び第１版胴３０１における天地見当量を調整し、駆動モータ１０６により第２版胴２２，２０２，３０２における天地見当量を補正するように構成したが、駆動モータ２５，２０５，３０５により第２版胴２２，２０２の版胴本体９１，２２０及び第２版胴３０２における天地見当量を調整し、駆動モータ１０６により第１版胴２１，２０１の版胴本体６６，２１１及び第１版胴３０１における天地見当量を補正するように構成してもよい。
【００９６】
また、上述した各実施例では、本発明の印刷機の見当装置を印刷装置１２の印刷ユニット１６におけるスタックＡに対して適用したが、スタックＢ，Ｃ，Ｄに対しても適用することができる。
【００９７】
また、上述した各実施例では、本発明の印刷機の見当装置を新聞用オフセット輪転印刷機に適用して説明したが、商業用オフセット輪転印刷機など他の印刷機に適用することもできる。
【産業上の利用可能性】
【００９８】
本発明に係る印刷機の見当装置は、版胴及びブランケット胴を駆動回転する駆動モータを天地見当量調整手段として適用する一方、第１版胴における天地見当量を調整したときに第２版胴における天地見当量を補正する天地見当量補正手段を設けることで、構造の簡素化及び低コスト化を可能とするものであり、いずれの印刷機にも適用することができる。
【符号の説明】
【００９９】
１１  給紙装置
１２  印刷装置
１３  ターンバー装置
１４  折機
１６，１７  印刷ユニット
２１，３１，４１，５１，２０１  第１版胴
２２，３２，４２，５２，２０２  第２版胴
２３，３３，４３，５３，２０３  第１ブランケット胴
２４，３４，４４，５４，２０４  第２ブランケット胴
２５，３５，４５，５５，２０５  駆動モータ（第１天地見当量調整手段）
６１，６２  フレーム
６３，６４  カラー（版胴支持部）
６５，９０  回転軸（版胴回転軸）
６６，９１，２１１，２２０  版胴本体（第１分割版胴）
７１，９２，２１２，２２１  版胴分割体（第２分割版胴）
７８  駆動モータ（第１左右見当量調整手段）
８０  駆動モータ（第２左右見当量調整手段）
８７，９５  回転軸（ブランケット胴回転軸、ギア移動手段）
８９  ヘリカルギア（第１ヘリカルギア）
９８  スプライン（ギア支持手段）
９９  ヘリカル連結ギア（第２ヘリカルギア）
１０６  駆動モータ（天地見当量補正手段）
１０９  駆動モータ（第２天地見当量調整手段）
Ｗ  ウェブ
【図１】
2010167617.tif 000003
【図２】
2010167617.tif 000004
【図３】
2010167617.tif 000005
【図４】
2010167617.tif 000006
【図５】
2010167617.tif 000007